(57)【特許請求の範囲】
【請求項１】
ユーザー装置（１０）と、アクセス・ノード（２０、３０）の協調セット（１０）とを含む無線通信システム（１）における無線通信方法であって、各アクセス・ノードは前記ユーザー装置とデータおよび／または信号情報を無線で交換するよう動作可能であり、前記協調セットはある交換スキームに従って前記ユーザー装置との前記交換に直接的または間接的に参加し、前記協調セットは少なくとも第一のアクセス・ノード（２０）を含み、前記第一のアクセス・ノードはインターフェース（５）によって第二のアクセス・ノード（３０）と相互接続されており、当該無線通信方法は：
前記インターフェースを介して前記第一と第二のアクセス・ノードの間で通信する段階（S1）と；
前記インターフェースを介した前記第一と第二のアクセス・ノードの間の前記通信に関係する通信パラメータをモニタリングする段階（S2）と；
モニタリングされた前記通信パラメータに依存して、
前記第二のアクセス・ノードを前記協調セットに含める、前記協調セットで動作させる、および／または前記協調セットから除外すること（S4a）によって、および／または
前記交換スキームを変えること（S4b）によって、
前記協調セットを構成設定する段階（S3a）とを含む、
無線通信方法。
【請求項２】
前記モニタリングする段階が：
前記交換スキームを指定する交換スキーム・パラメータに従って前記通信パラメータをモニタリングすることを含む、請求項１記載の無線通信方法。
【請求項３】
前記モニタリングする段階が：
前記第一および／または第二のアクセス・ノードにおいて前記通信パラメータを測定し、
測定された前記通信パラメータを前記第一のアクセス・ノード内で／前記第一のアクセス・ノードに報告することを含む、
請求項１または２記載の無線通信方法。
【請求項４】
前記測定する処理が：
該測定の構成設定を表す測定構成設定パラメータに従って前記第一および／または第二のアクセス・ノードにおいて前記通信パラメータを測定することを含む、
請求項３記載の無線通信方法。
【請求項５】
前記測定構成設定パラメータを前記第一のアクセス・ノードから前記第二のアクセス・ノードに送信し、
前記測定構成設定パラメータに従って前記第二のアクセス・ノードにおいて前記通信パラメータを測定し、
測定された前記通信パラメータを含む測定レポートを前記第二のアクセス・ノードから前記第一のアクセス・ノードに報告することをさらに含む、
請求項４記載の無線通信方法。
【請求項６】
前記送信が、好ましくは前記インターフェースのセットアップ時におよび／または前記インターフェースの構成設定更新として実行される信号情報プロトコルの一部である、請求項５記載の無線通信方法。
【請求項７】
前記報告することは信号情報プロトコルの一部である、請求項３ないし６のうちいずれか一項記載の無線通信方法。
【請求項８】
前記報告することは：
前記インターフェースのサブストリームについての前記測定された通信パラメータを報告することを含む、
請求項３ないし７のうちいずれか一項記載の無線通信方法。
【請求項９】
前記報告することは：
前記測定された通信パラメータの値が閾値を超えているかどうかを判定し、
前記測定された通信パラメータの前記値が前記閾値を超えていれば前記測定された通信パラメータを報告し、または前記測定された通信パラメータの前記値が前記閾値を超えていれば前記測定された通信パラメータを報告するのを停止することを含む、
請求項３ないし８のうちいずれか一項記載の無線通信方法。
【請求項１０】
前記第二のアクセス・ノードが前記協調セットに含まれている場合、前記通信パラメータを測定する測定報告モードを開始し、測定された通信パラメータを報告すること、および、
前記第二のアクセス・ノードが前記協調セットに含まれていない場合、前記通信パラメータを測定する前記測定報告モードを抜け、測定された通信パラメータを報告すること、の少なくとも一方をさらに含む、請求項３ないし９のうちいずれか一項記載の無線通信方法。
【請求項１１】
複数のインターフェース（５ａ、５ｂ）を介して前記第一のアクセス・ノード（２０）と複数のさらなるアクセス・ノード（３０ａ、３０ｂ）との間で通信を行い、
前記複数のインターフェースのうちで関連するインターフェースの集合を決定し、
複数の通信パラメータをモニタリングすることをさらに含み、前記複数の通信パラメータは、前記関連するインターフェースの集合を介する前記通信に関係する、
請求項１ないし１０のうちいずれか一項記載の無線通信方法。
【請求項１２】
ユーザー装置（１０）と、
アクセス・ノード（２０、３０）の協調セット（１００）とを含む無線通信システム（１）であって、
各アクセス・ノードは前記ユーザー装置とデータおよび／または信号情報を無線で交換するよう動作可能であり、前記協調セットはある交換スキームに従って前記ユーザー装置との前記交換に直接的または間接的に参加し、前記協調セットは少なくとも第一のアクセス・ノード（２０）を含み、前記第一のアクセス・ノードはインターフェース（５）によって第二のアクセス・ノード（３０）と相互接続されており、
前記第一と第二のアクセス・ノードは前記インターフェースを介して互いの間で通信するよう動作可能であり、
当該無線通信システムはさらに、
前記インターフェースを介した前記第一と第二のアクセス・ノードの間の前記通信に関係する通信パラメータをモニタリングするモニタリング・ユニットと；
モニタリングされた前記通信パラメータに依存して、
前記第二のアクセス・ノードを前記協調セットに含める、前記協調セットで動作させる、および／または前記協調セットから除外することによって、および／または
前記交換スキームを変えることによって、
前記協調セットを構成設定する構成設定ユニットとを有する、
無線通信システム。
【請求項１３】
諸アクセス・ノード（２０、３０）の協調セット（１００）の第一のアクセス・ノードであるよう動作可能なアクセス・ノード（２０）であって、前記諸アクセス・ノードのそれぞれはユーザー装置（１０）とデータおよび／または信号情報を無線で交換するよう動作可能であり、前記協調セットはある交換スキームに従って前記ユーザー装置との前記交換に直接的または間接的に参加し、前記第一のアクセス・ノードはインターフェース（５）によって第二のアクセス・ノード（３０）と相互接続されており、前記第二のアクセス・ノードと前記インターフェースを介して通信し、
当該アクセス・ノードは、
前記インターフェースを介した前記第一と第二のアクセス・ノードの間の前記通信に関係する通信パラメータをモニタリングするモニタリング・ユニットと；
モニタリングされた前記通信パラメータに依存して、
前記第二のアクセス・ノードを前記協調セットに含める、前記協調セットで動作させる、および／または前記協調セットから除外することによって、および／または
前記交換スキームを変えることによって、
前記協調セットを構成設定する構成設定ユニットとを有する、
アクセス・ノード。
【請求項１４】
無線通信システム中のアクセス・ノードのプロセッサによって実行されたときに請求項１記載の無線通信方法を実行するコンピュータ・プログラム。
【発明の詳細な説明】
【技術分野】
【０００１】
本発明は、複数のアクセス・ノードおよびユーザー装置を含む無線通信システムにおける無線通信方法であって、各アクセス・ノードは前記ユーザー装置とデータおよび／または信号情報を無線で交換するよう動作可能であり、前記複数のアクセス・ノードは少なくとも第一のアクセス・ノードおよび第二のアクセス・ノードを含み、前記第一のアクセス・ノードおよび第二のアクセス・ノードは無線または有線のインターフェースによって相互接続されている、方法に関する。本発明は更に、前記無線通信方法を実行するよう動作可能なアクセス・ノード、ユーザー装置および無線通信方法に関する。特に、これに限るわけではないが、本発明は、たとえば3GPP仕様シリーズの36シリーズ（特に、仕様文書36.xxxおよびそれに関連する文書）およびリリース９、１０およびその後のものに記載されているような、LTE（Long  Term  Evolution（ロング・ターム・エボルーション））およびLTEアドバンスト（LTE-Advanced）電波技術グループの標準に準拠する無線通信方法に関する。
【背景技術】
【０００２】
万国移動通信システム（UMTS:  Universal  Mobile  Telecommunications  System）または3G無線通信システムは世界中に展開されている。UMTSシステムの将来の発展はLTEおよびLTEアドバンスト電波技術を中心とする。3GPPは、LTEアドバンスト規格として知られる、LTEについての進んだ機能および特徴についての仕様を定義している。協調マルチポイント（CoMP:  Coordinated  multi-point）送信／受信はLTEアドバンストおよびLTEアドバンストの将来の発展のそのような特徴の一つである。CoMPは高データ・レート・カバレッジ、セル端でのスループットを改善でき、および／または高負荷および低負荷シナリオの両方においてシステム・スループットを増大させることができる。
【０００３】
UMTSおよびUMTS  LTEのような次世代移動体通信は、既存のシステムに比べて、ユーザーに対する改善されたサービスを提供することをねらいとする。これらのシステムは、音声、ビデオおよびIPマルチメディア・データのような幅広い範囲の情報の処理および伝送のための高データ・レート・サービスを提供すると期待される。
【０００４】
LTEは、ユーザーにとっての増加したデータ・レートでの高速データ・サービスの送達のための技術である。UMTSおよび以前の世代の移動体通信システムに比べて、LTEは短縮された遅延、増大したセル端カバレッジ、低下したビット当たりのコスト、柔軟なスペクトル仕様および複数電波アクセス技術の移動性（multi-radio  access  technology  mobility）をも提供することになる。
【０００５】
進化型UTRANは、LTEおよびLTEアドバンスト技術における、高データ・レート、低レイテンシーおよびパケット最適化された電波アクセス・ネットワークに向けた3G  UMTS電波アクセス・ネットワークUTRANの進化版である。このE-UTRANアーキテクチャはたとえば、3GPP  TR  36.401、特にセクション６において記述されている。その開示はここに参照によって本願に組み込まれる。
【０００６】
現行のUMTSシステムと同様、LTE（よってLTEアドバンストも）の基本アーキテクチャは、ユーザー（またはより正確にはユーザー装置（user  equipment）UE）をアクセス・ノード（E-UTRANノードB、eNB）に接続する電波アクセス・ネットワーク（E-UTRAN）からなり、これらのアクセス・ノードはコア・ネットワーク（進化型パケット・コア（EPC:  Evolved  Packet  Core））にリンクされている。eNBは、UEに向かってE-UTRA（Evolved  Universal  Terrestrial  Radio  Access［進化型普遍地上波電波アクセス］）ユーザー面および制御面プロトコル終端（terminations）を提供する。eNB（用語「eNB」は本願では用語「アクセス・ノード」と交換可能に使われる）は、X2インターフェースによって互いと相互接続されていてもよい。eNBはS1インターフェースによってEPCに接続される。より特定的にはS1-MMEによってMMEに、S1-UによってS-GWに接続される。S1インターフェースはMME／サービスするゲートウェイ（Serving  Gateways）およびeNBの間の多対多の関係をサポートする。上記で説明したような典型的なE-UTRANアーキテクチャが図１に示されている。
【０００７】
E-UTRON電波インターフェース・プロトコル・アーキテクチャのさらなる詳細は、たとえば、3GPP  TR  36.300に記述されており、その開示はここに参照によって本願に組み込まれる。
【０００８】
eNBはFDDモード、TDDモードまたはデュアル・モード動作をサポートしうる。eNBはX2を通じて相互接続されてもよい。X2は二つのeNBの間の論理的なインターフェースであってもよい。eNB間のポイントツーポイント・リンクを論理的に表しているものの、物理的な実現はポイントツーポイント・リンクである必要はない。X2インターフェースはたとえば仕様シリーズ3GPP  TS  36.42xにおいてより詳細に記述されており、その開示はここに参照によって本願に組み込まれる。
【０００９】
LTEは、たとえば＞100Mbpsの下りリンク（DL）（基地局（BS）からユーザー装置（UE）への通信）でのピーク・データ・レートを与える一方、上りリンク（UL）（UEからBSへの通信）では＞50Mbpsとなるよう設計されている。現在標準化中のLTEアドバンスト（ATE-A）はさらにLTEシステムを改善してたとえば、下りリンクで1Gbps、上りリンクで500Mbpsまでを許容することになろう。LTE-Aは既存のLTEシステムに対してパフォーマンスを改善するために、特により高いデータ・レートの伝送およびセル端カバレッジの改善のために、新たな技術を用いる。
【００１０】
典型的なLTEネットワークが図１に示されている。UE  １０は電波インターフェースUu  ３によってeNB  ２０（「アクセス・ノード」とも称される）に接続される。
【００１１】
eNB  ２０、３０はS1インターフェース７を介してコア・ネットワーク（CN、明示的には図示せず）に接続される。eNB  ２０、３０はS1制御面インターフェース（S1-MME）を介して移動性管理エンティティ（MME:  Mobility  Management  Entities）４０ａ、４０ｂに接続される。S1-MMEはたとえばアイドル・モードUE到達可能性およびアクティブ・モードUEハンドオーバー・サポートのための制御機能を提供する。UE  １０のためのユーザー面（UP:  User  Plane）データはeNB  ２０、３０を介してサービスするゲートウェイ（S-GW）５０ａ、５０ｂにS1ユーザー面インターフェース（S1-U）インターフェースを介してルーティングされる。
【００１２】
eNB  ２０、３０はX2インターフェース５ａ、５ｂ、５ｃによって相互接続されてもよい。これは二つのeNB  ２０、３０の間の物理的な接続として、または他のネットワーク転送ノードを介してルーティングされる論理的な接続として実装されてもよい。eNB  ２０、３０の間の通信インターフェースとしてのX2インターフェース５およびeNB  ２０、３０およびMME/S-GW  ４０、５０間のS1インターフェース７はバックホール・リンクト称される。
【００１３】
図２は、図１に示されるアーキテクチャにおける制御面およびユーザー面についてのプロトコル・スタックを示している。
【００１４】
UE  １１およびeNB  ２１（「eノードB」とも称される）の間の電波インターフェースUu  ３上で、ユーザー・データ・トラフィックはユーザー面を使って転送される（ユーザー面はたとえば、PDCP、RLC、MACおよびPHYプロトコル層からなる）。S1-Uインターフェース７ｕは、eNB  ２１とS-GW  ５１との間で定義される。S1-Uインターフェース７ｕはeNB  ２１とS-GW  ５１との間のユーザー面PDU（protocol  data  unit（プロトコル・データ・ユニット））の保証されない送達を提供する。トランスポート・ネットワーク層はIPトランスポート上に構築され、eNB  ２１とS-GW  ５１の間でユーザー面PDUを搬送するために、GTP-U（GPRS  Tunnelling  Protocol  for  User  Plane［ユーザー面のためのGPRSトンネリング・プロトコル］）がUDP（User  Datagram  Protocol［ユーザー・データグラム・プロトコル］）／IPの上で使われる。
【００１５】
S1-MMEインターフェース７ｃがeNB  ２１とMME  ４１の間で定義される。トランスポート・ネットワーク層はユーザー面と同様にIPトランスポート上に構築されるが、信号伝達メッセージの信頼できる転送のために、SCTP（Stream  Control  Transmission  Protocol［ストリーム制御伝送プロトコル］；これはインターネット技術特別調査委員会（IETF:  Internet  Engineering  Task  Force）によって定義される信頼できるトランスポート層プロトコルである）がIPの上に加えられる。アプリケーション層信号伝達プロトコルはS1-AP（S1アプリケーション・プロトコル）と称される。
【００１６】
eNB  ２１、３１の間にはX2ユーザー面インターフェース（X2-U）５ｕが定義される。X2-Uインターフェース５ｕはユーザー面PDUの保証されない送達を提供する。トランスポート・ネットワーク層はIPトランスポート上に構築され、ユーザー面PDUを搬送するために、GTP-UがUDP/IPの上で使われる。X2-U（X2-ユーザー面）インターフェース・プロトコル・スタックは、S1-UP（S1-ユーザー面）プロトコル・スタックと同一である。
【００１７】
二つの近隣のeNB  ２１、３１の間でX2制御面インターフェース（X2-C）５ｃが定義される。トランスポート・ネットワーク層はIPの上でSCTP上に構築される。アプリケーション層信号伝達（情報）プロトコルはX2-AP（X2アプリケーション・プロトコル）と称される。
【００１８】
3GPP  LTEネットワークでは、eNBは、E-UTRAN（進化型UTRAN（Universal  Terrestrial  Radio  Access  Network［普遍地上波電波アクセス・ネットワーク］））内のフル・メッシュまたはフル・メッシュの一部としてのX2インターフェースによって互いと相互接続されてもよい。情報交換は、LTEにおいて使われるフラットなアーキテクチャにおいてX2インターフェースを介してeNB間で実行されることができる。
【発明の概要】
【発明が解決しようとする課題】
【００１９】
しかしながら、X2インターフェースは、異なる事業者およびネットワーク展開ソリューションの間で異なっている。よって、アクセス・ネットワーク（特にX2リンク）は非一様に動作することがあり、よって信頼できないまたは遅延された通信を提供することがある。しかしながら、無線通信ネットワーク内で信頼できる、遅延のない通信を提供することが望ましい。
【課題を解決するための手段】
【００２０】
本発明のある側面によれば、複数のアクセス・ノードおよびユーザー装置を含む無線通信システムにおける無線通信方法であって、各アクセス・ノードは前記ユーザー装置とデータおよび／または信号情報を無線で交換するよう動作可能であり、前記複数のアクセス・ノードは少なくとも第一のアクセス・ノードおよび第二のアクセス・ノードを含み、前記第一のアクセス・ノードおよび第二のアクセス・ノードはインターフェースによって相互接続されている、方法であって：
前記インターフェースを介して前記第一と第二のアクセス・ノードの間で通信する段階と；
前記インターフェースを介した前記第一と第二のアクセス・ノードの間の前記通信に関係するパラメータをモニタリングする段階と；
モニタリングされた前記パラメータに依存して、前記第一および／または第二のアクセス・ノードと前記ユーザー装置の間のデータおよび／または信号情報の前記交換を制御する段階とを含む、
方法が提供される。
【００２１】
本願の発明者は、驚くべきことに、バックホール・リンク・パフォーマンス、好ましくはインターフェース・パフォーマンスを測定することによって、およびしかるべく第一および／または第二のアクセス・ノードと前記ユーザー装置の間のデータおよび／または信号情報の前記交換を制御することによって、無線通信システム内での無線通信が改善されることを見出した。バックホール・リンクは有線であっても無線であってもよい。
【００２２】
本無線通信方法はたとえば、アクセス・ノード間の干渉協調（interference  coordination）（それにより干渉を最小化するために情報が交換される）、データのブロードキャスト、UEのハンドオーバーまたは協調マルチポイント（CoMP）送信／受信において適用されてもよい。X2上で交換される情報はたとえば、１）負荷または干渉関係の情報；２）ハンドオーバー関係の情報を含んでいてもよい。交換頻度はかなり低くてもよい。たとえば、X2負荷均衡化プロセスのための負荷情報交換の頻度は数秒のオーダーであってもよい。交換頻度はまた、かなり高くてもよい。たとえば、（干渉協調のような）RRM最適化のための負荷情報交換の頻度は数十ミリ秒のオーダーであってもよい。
【００２３】
アクセス・ノード間の干渉協調、データのブロードキャスト、UEのハンドオーバーまたは協調マルチポイント（CoMP）送信／受信は、バックホール・パフォーマンスを測定し、無線通信システムの動作を制御する概念を使うための例でしかなく、本願はこれらに限定されるものではない。バックホール・パフォーマンスをモニタリングするのみならずさらにバックホール・パフォーマンス・モニタリングを構成設定することにより、干渉回避、データのブロードキャスト、ハンドオーバー、CoMPなどにおけるさらなる改善が達成できる。
【００２４】
たとえば、CoMPの場合、前記無線通信システムは、アクセス・ノードの協調セット（cooperating  set）を有する。前記協調セットは、直接的または間接的に前記ユーザー装置との前記交換に参加するアクセス・ノードの集合であり、前記第一のアクセス・ノードを含み、前記制御はさらに：モニタリングされた前記パラメータに依存して前記第二のアクセス・ノードを前記協調セットに含めること、モニタリングされた前記パラメータに依存して前記協調セットに含まれる前記第二のアクセス・ノードを動作させること、モニタリングされた前記パラメータに依存して前記第二のアクセス・ノードを前記協調セットから除外することのうちの少なくとも一つを含む。
【００２５】
本願の無線通信方法、特に、「モニタリングされた前記パラメータに依存して、前記第一および／または第二のアクセス・ノードと前記ユーザー装置の間のデータおよび／または信号情報の前記交換を制御する段階」は、同様に、アクセス・ノード間の干渉協調、UEのハンドオーバー、データのブロードキャスト（マルチメディア・ブロードキャストおよびマルチキャスト・サービス（MBMS:  Multimedia  Broadcast  and  Multicast  Services）のような）または他のシナリオに適用され、および／または修正されてもよい。
【００２６】
本発明は、たとえば3GPP仕様シリーズの36シリーズ（特に、仕様文書36.xxxおよびそれに関連する文書）およびリリース８、９、１０およびその後のものに記載されているような、LTEアドバンスト電波技術のコンテキストにおける使用のために特に適する。しかしながら、本願は特定の仕様に限定されず、すべての3GPP  LTEおよびLTEアドバンスト仕様および他の技術の無線通信システムのコンテキストにおける使用にも適する。
【００２７】
本願で使われるところの用語「インターフェース」は、好ましくは仕様シリーズ3GPP  TS  36.42xに従うX2インターフェースを指すが、本願は二つのeNB、NB、アクセス・ノードおよび無線通信システムの同様のエンティティの間の信号情報（またはデータおよび信号情報）の交換をサポートし、任意的には個々のエンドポイントにPDU（プロトコル・データ・ユニット）を転送するよう動作可能な他の任意のインターフェースをも包含する。論理的な観点からは、インターフェースは当該ネットワーク、好ましくはE-UTRAN内の二つのeNB、NB、アクセス・ノードなどの間のポイントツーポイント・インターフェースである。ポイントツーポイントの論理インターフェースは、二つのeNB、NB、アクセス・ノードなどの間の物理的な直接接続がないときでさえ実現可能である。すなわち、用語「インターフェース」は、他のネットワーク・ノードを通じて物理的にルーティングされてもよいeNB間の論理的な接続を指す。
【００２８】
ある側面では、本願は、ユーザー装置と、アクセス・ノードの協調セットとを含む無線通信システムにおける無線通信方法であって、各アクセス・ノードは前記ユーザー装置とデータおよび／または信号情報を無線で交換するよう動作可能であり、前記協調セットはある交換スキームに従って前記ユーザー装置との前記交換に直接的または間接的に参加し、前記協調セットは少なくとも第一のアクセス・ノードを含み、前記第一のアクセス・ノードはインターフェースによって第二のアクセス・ノードと相互接続されており、当該無線通信方法は：
前記インターフェースを介して前記第一と第二のアクセス・ノードの間で通信する段階と；
前記交換スキームを表す交換スキーム・パラメータに基づいて、前記インターフェースを介した前記第一と第二のアクセス・ノードの間の前記通信に関係する通信パラメータをモニタリングする段階と；
モニタリングされた前記通信パラメータに依存して、
前記第二のアクセス・ノードを前記協調セットに含める、前記協調セットで動作させる、および／または前記協調セットから除外することによって、および／または
前記交換スキームを変えることによって、
前記協調セットを構成設定する段階とを含む、
方法に関する。
【００２９】
もう一つの側面では、本願は、
ユーザー装置と、
アクセス・ノードの協調セットとを含む無線通信システムであって、
各アクセス・ノードは前記ユーザー装置とデータおよび／または信号情報を無線で交換するよう動作可能であり、前記協調セットはある交換スキームに従って前記ユーザー装置との前記交換に直接的または間接的に参加し、前記協調セットは少なくとも第一のアクセス・ノードを含み、前記第一のアクセス・ノードはインターフェースによって第二のアクセス・ノードと相互接続されており、
前記第一と第二のアクセス・ノードは前記インターフェースを介して互いの間で通信するよう動作可能であり、
当該無線通信システムはさらに、
前記インターフェースを介した前記第一と第二のアクセス・ノードの間の前記通信に関係する通信パラメータをモニタリングするモニタリング・ユニットと；
モニタリングされた前記通信パラメータに依存して、
前記第二のアクセス・ノードを前記協調セットに含める、前記協調セットで動作させる、および／または前記協調セットから除外することによって、および／または
前記交換スキームを変えることによって、
前記協調セットを構成設定する構成設定ユニットとを有する、
システムに関する。
【００３０】
もう一つの側面では、本願は、アクセス・ノードの協調セットの第一のアクセス・ノードであるよう動作可能なアクセス・ノードであって、前記アクセス・ノードのそれぞれはユーザー装置とデータおよび／または信号情報を無線で交換するよう動作可能であり、前記協調セットはある交換スキームに従って前記ユーザー装置との前記交換に直接的または間接的に参加し、前記第一のアクセス・ノードはインターフェースによって第二のアクセス・ノードと相互接続されており、前記第二のアクセス・ノードと前記インターフェースを介して通信し、
当該アクセス・ノードは、
前記インターフェースを介した前記第一と第二のアクセス・ノードの間の前記通信に関係する通信パラメータをモニタリングするモニタリング・ユニットと；
モニタリングされた前記通信パラメータに依存して、
前記第二のアクセス・ノードを前記協調セットに含める、前記協調セットで動作させる、および／または前記協調セットから除外することによって、および／または
前記交換スキームを変えることによって、
前記協調セットを構成設定する構成設定ユニットとを有する、
アクセス・ノードに関する。
【００３１】
もう一つの側面では、本願は、
アクセス・ノードの協調セットとデータおよび／または信号情報を無線で交換する交換ユニットを有するユーザー装置であって、
前記協調セットはある交換スキームに従って前記ユーザー装置との前記交換に直接的または間接的に参加し、前記協調セットは少なくとも第一のアクセス・ノードを含み、前記第一のアクセス・ノードはインターフェースによって第二のアクセス・ノードと相互接続されており、前記インターフェースを介して前記第二のアクセス・ノードと通信し、
前記第一のアクセス・ノードは、
前記インターフェースを介した前記第一と第二のアクセス・ノードの間の前記通信に関係する通信パラメータをモニタリングし、
モニタリングされた前記通信パラメータに依存して、前記第二のアクセス・ノードを前記協調セットに含める、前記協調セットで動作させる、および／または前記協調セットから除外することによって、および／または前記交換スキームを変えることによって、前記協調セットを構成設定し、
前記協調セットの構成設定を表す構成設定情報を前記ユーザー装置に送信するよう動作可能であり、
前記ユーザー装置は、
前記第一のアクセス・ノードからの前記構成設定情報を受信し、
受信した構成設定情報に従って前記交換ユニットを動作させるよう動作可能である、
ユーザー装置に関する。
【００３２】
もう一つの側面では、本願は、無線通信システム中のアクセス・ノードのプロセッサによって実行されたときに本願の無線通信方法を実行するコンピュータ・プログラムに関する。さらにもう一つの側面では、本願は前記コンピュータ・プログラムを記憶するコンピュータ・プログラム記憶手段に関する。
【００３３】
本発明は、たとえば3GPP  TR  36.814において記述されている協調マルチポイント（CoMP）に特に適する。この文書の、協調マルチポイント（CoMP）送信／受信に関する特にセクション８の開示はここに参照によって本願に組み込まれる。協調マルチポイント（CoMP）送信／受信は、特にLTEアドバンストについて、高データ・レートのカバレッジ、セル端スループットを改善する、および／または高負荷および低負荷シナリオの両方においてシステム・スループットを増大させるツールと考えられる。しかしながら、本発明はLTEアドバンストのCoMP送信／受信コンテキストに限定されるものではなく、協調マルチポイント送信／受信を使う他の任意の無線通信システムにおいて適用されうる。
【００３４】
下りリンク（DL）協調マルチポイント送信は、複数の地理的に離間した送信点の間の動的な協調を含意する。CoMP送信点（単数または複数）（用語「CoMP送信点」は本願では用語「送信点」および「アクセス・ノード」と交換可能に使用されることがある；ただし、あるアクセス・ノードが複数の送信点を含むことも可能である）は、PDSCH（Physical  Downlink  Shared  Channel［物理的な下りリンク共有チャネル］）をUEに能動的に送信している点または点の集合（用語「点の集合」は本願では用語「複数のアクセス・ノード」と交換可能に使用されることがある）である。CoMP送信点（単数または複数）は、CoMP協調セット（用語「CoMP協調セット」は本願では用語「協調セット」と交換可能に使用されることがある）の部分集合である。CoMP協調セットは、UEへのPDSCH送信に直接的または間接的に参加する（好ましくは地理的に離間した）点の集合である。サービスするセル（用語「サービスするセル（serving  cell）」は、あるアクセス・ノードからある地理的領域にわたってブロードキャストされるセル識別情報からUEによって一意的に識別されることのできる電波ネットワーク・オブジェクトを指す）は、PDCCH（Physical  Downlink  Control  Channel［物理的な下りリンク制御チャネル］）割り当てを送信する、好ましくは単一の、セルである。
【００３５】
下りリンクの協調マルチポイント送信では、種々のCoMP方法（本願において「交換スキーム（exchange  scheme）」とも称される）がある：
−共同処理（JP:  Joint  Processing）。データはCoMP協調セットにおける各点において利用可能。JPの個別的なサブモードは次のとおり。
【００３６】
・共同送信（JT:  Joint  Transmission）。PDSCH送信は複数の点（CoMP協調セットの一部または全体）から同時に実行される。たとえば受信信号品質を（コヒーレントにまたは非コヒーレントに）改善するおよび／または他のUEについての干渉を能動的に打ち消すために、単一のUEへのデータが複数の送信点から同時に送信される。共同送信のためには、CoMP送信点はCoMP協調セット内の点である。
【００３７】
・動的セル選択（DSC:  dynamic  cell  selection）。PDSCH送信は（CoMP協調セット内で）一時には一つの点から実行される。動的セル選択のためには、単一の点は、好ましくは毎サブフレームにおける送信点である。この送信点は、CoMP協調セット内で動的に変わってもよい。
−協調スケジューリング／ビーム形成（CS/CB:  Coordinated  Scheduling/Beamforming）。データはサービスするセルにおいてのみ利用可能（その点からのデータ送信）だが、ユーザーによるスケジューリング／ビーム形成決定が行われ、CoMP協調セットに対応するセル間で協調が行われる。協調スケジューリング／ビーム形成のためには、CoMP送信点はサービスするセルに対応する。
【００３８】
CoMP協調セットに加えて、CoMP測定セットも存在していてもよい。CoMP測定セットは、セルの集合であって、そのセルについては、当該UEへのリンクに関係したチャネル状態／統計情報がたとえば3GPP  TR  36.814のセクション８．１．３で論じられるように報告される。CoMP測定セットはCoMP協調セットと同じであってもよい。
【００３９】
電波インターフェース仕様エリア、DL  CoMPをサポートするフィードバックおよびDL  CoMP動作のサポートにおけるオーバーヘッドに関する3GPP  TR  36.814のセクション８．１．２、８．１．３および８．１．４の開示はここに参照によって本願に組み込まれる。
【００４０】
上りリンク（UL）協調マルチポイント受信は複数の地理的に離間した点の間の協調を含意する。上りリンクCoMP受信は、複数の受信点における送信された信号の共同受信（JR:  joint  reception）（好ましくは、下りリンクにおけるJPに関して上記で説明したのに対応する仕方で実装される）および／または干渉を制御するためのセル間での協調したスケジューリング（CS:  coordinated  scheduling）決定（好ましくは、下りリンクにおけるCSに関して上記で説明したのに対応する仕方で実装される）に関わっていてもよい。
【００４１】
このように、いくつかのCoMPスキームでは、すべての協調するアクセス・ノードが必ずしもユーザー装置とデータを交換するのではない。たとえば、協調するアクセス・ノードは、実際にデータ交換を搬送する無線通信リンクに対して干渉を引き起こすことを避けるよう交換を協調させてもよい。このように、「前記協調セットは……前記ユーザー装置との前記交換に直接的または間接的に参加」する段階は、「前記ユーザー装置とデータを交換するまたは前記ユーザー装置とのデータ交換を容易にする」ことを指しうる。
【００４２】
本願の発明者は、eNB間CoMPのための個別的なX2要求があることを認識した。すなわち、異なるeNB  CoMPスキームについては基本的なX2要求が異なることがあるのである。たとえば、DL  CS/CBについてのX2帯域幅要求はDL共同処理についてよりも低いことがある。DL共同処理ではCoMP協調セット中の各点においてデータが利用可能であるのに対し、DL  CS/CBではデータはサービスするセルにおいてのみ利用可能だからである。
【００４３】
基本的に、すべてのeNB間CoMPスキームはレイテンシーに対して敏感である傾向がある。一方、DL  JPスキームはDL  CS/CBおよびUL  CoMPスキームと比べて、帯域幅に対する需要が高い。
【００４４】
発明者はさらに、eNB間CoMPスキームの使用がX2バックホール・パフォーマンスによって影響されうることを認識した。発明者はさらに、X2パフォーマンス、特にレイテンシーが、高度に展開に依存することを見出した。たとえば、専用のX2ファイバー・ネットワークがあるか汎用のIPネットワークがあるかに依存するのである。X2インターフェースのパフォーマンスは時間およびネットワーク条件とともに変化し、CoMPのパフォーマンスは、UEとの電波チャネル条件のみならず、協調するアクセス・ノード間のバックホール・リンクにも依存する。
【００４５】
そこで、発明者は、本発明のある好ましい実施形態において、X2バックホールの通信パラメータのX2バックホール・パフォーマンス・モニタリングをもつCoMP制御および管理機構を提案する。さらに、二つのeノードBの間のX2インターフェースのパフォーマンスのモニタリングを構成設定するために、測定構成設定パラメータが提案される。さらに、X2測定および報告のためのオプションも提案される。これは好ましくは、3GPP  LTEネットワークにおける定義されたインターフェースを介したeノードB間の情報共有のための代替策を提供する。このように、本発明は、CoMP協調セットおよび任意的にはCoMP測定セットを決定および管理するために、バックホール、特にX2インターフェースのパフォーマンスの考慮に取り組む。
【００４６】
本発明はこのように、ある好ましい実施形態では、電波（Uu）のみならずeノードB間ネットワーク（X2リンク）パフォーマンスにも基づいて、所与のUE接続のためのCoMPセットの形成（formulation）を自動的かつ動的に制御する方法を提案する。種々のeノードB対の間のX2リンクのトラフィック負荷状態は異なることがあり、時間とともに異なる仕方で変わることがある。本発明の諸実施形態は、CoMP接続を成功裏にサポートするために所与のX2リンク上に新たなCoMPトラフィックを追加することは、その時点でのX2パフォーマンスに依存することを提案する。よって、本発明の諸実施形態は、特に、ある近隣のアクセス・ノードが近隣の諸セルをサポートするCoMPの利用可能なプールに動的にはいり、出るための基準およびトリガー機構に関する。
【００４７】
本発明の諸実施形態はさらに、eノードB間リンクのすべてがアップグレードされる必要なしに、また同じ容量をもつ必要もなしにCoMPの早期の展開を可能にする。これは今度はコスト効率のよいネットワーク・ロールアウトにおけるより大きな柔軟性をもたらし、利用可能なネットワーク資源からのCoMPのため、改善されたネットワーク・パフォーマンスを可能にする。
【００４８】
本発明の諸実施形態によれば、CoMPスキーム（「交換スキーム」とも称される）の選択は、X2インターフェース上でなされるモニタリング（好ましくは測定）の結果に依存する。たとえば、測定により、X2インターフェースが貧弱な（高い）レイテンシーをもつことが示される場合、干渉を緩和するために、協調ビーム形成（Co-ordinated  Beamforming）のような、可能なCoMPスキームの部分集合のみが展開されうる。一方、リンクが良好な（低い）レイテンシーをもつ場合には、共同送信（Joint  Transmission）のようなより要求の高いCoMPスキームが使用されてもよい。
【００４９】
本発明の諸実施形態は、種々のeノードB間リンクが異なるパフォーマンスをもつ発達する電波アクセス・ネットワークにおけるCoMPの展開を可能にする。これは、アクセス・ネットワークおよびトラフィック・パターンが時間とともに発達する際にどのセルがCoMPモードをサポートできるかを決定する電波ネットワーク・セットアップの継続的な再構成の必要を軽減する。本発明の諸実施形態は、CoMP動作の動的な制御および構成設定のための自動化された解決策を提供し、ネットワーク・エンジニアリング労働コストを削減する
本発明の諸実施形態はまた、eノードB間リンクのすべてがアップグレードされる必要や同じ容量およびパフォーマンスをもつ必要なしに、CoMPの早期の展開をも可能にする。これは今度は、コスト効率のよいネットワーク・ロールアウトにおけるより大きな柔軟性をもたらし、利用可能なネットワーク資源からのCoMPのため、改善されたネットワーク・パフォーマンスを可能にする。
【００５０】
本発明の無線通信システムにおいて使われるUEは、使用される厳密なCoMPスキームやCoMPスキーム制御をサポートするためにUEが好ましくは行うサポート用電波測定の詳細に依存して、従来のユーザー装置と同じでも異なっていてもよい。
【００５１】
ある好ましい実施形態では、前記モニタリングは：前記交換スキームを指定する交換スキーム・パラメータに従って前記通信パラメータをモニタリングすることを含む。よって、X2モニタリング（好ましくは測定）の構成設定は、CoMPスキームに依存する。異なるCoMP方式については、モニタリングの異なる構成設定が要求されてもよい。たとえば、共同処理を使うCoMPの場合、X2インターフェース上で低レイテンシーが要求されてもよい。それにより、これをサポートする測定が構成設定される必要がある。本発明の諸実施形態は、このように、CoMP動作を選択し、モニタリングし、管理するための効率的な解決策を提供する。諸実施形態は、CoMP動作のための制御および管理機構のために実行される必要がある可能性があるバックホール・パフォーマンスおよびUE測定の量の削減を提案する。この好ましい実施形態によれば、アクセス・ノードの協調セットに基づいて要求されると決定されるおよび／またはUE測定レポートおよびバックホール・パフォーマンス測定レポートからの情報によって同定される測定のみが実行される。X2バックホール・パフォーマンスはこのように、CoMPスキーム（単数または複数）の要求およびUEのアプリケーション（単数または複数）のパフォーマンスに基づくいくつかの決定的なパラメータを測定することによってモニタリングされうる。
【００５２】
ある好ましい実施形態では、前記モニタリングは：前記第一および／または第二のアクセス・ノードにおける前記通信パラメータを測定し、前記第一のアクセス・ノード内で／前記第一のアクセス・ノードに、測定された通信パラメータを報告することを含む。すなわち、測定結果（「測定された通信パラメータ」とも称される）は、アクセス・ノード内でまたは（一つまたは複数の）ピア・アクセス・ノードに、報告されてもよい。
【００５３】
ある好ましい実施形態では、前記測定は：測定構成設定パラメータに従って前記第一および／または第二のアクセス・ノードにおいて前記通信パラメータを測定することを含み、前記測定構成設定パラメータは前記測定の構成設定を表す。好ましくは、前記測定構成設定パラメータは交換スキームと関連付けられている。よって、前記測定は、現在使われているまたは使われていると考えられる交換スキームの特定の要求に適合されてもよい。特に効率的なX2パフォーマンス測定および報告のために、このように、第一のアクセス・ノード、たとえばサービスするeNBが協働するeNB（単数または複数）を、X2バックホール測定および報告のためのパラメータをもって構成設定することができることが提案される。
【００５４】
ある好ましい実施形態では、前記無線通信方法はさらに：前記測定構成設定パラメータを前記第一のアクセス・ノードから前記第二のアクセス・ノードに送信し、前記測定構成設定パラメータに従って前記第二のアクセス・ノードにおいて前記通信パラメータを測定し、前記測定された通信パラメータを含む測定レポートを前記第二のアクセス・ノードから前記第一のアクセス・ノードに報告することを含む。
【００５５】
ある好ましい実施形態では、前記測定構成設定パラメータは：測定対象となる測定オブジェクト、報告構成設定および測定タイミング・ギャップのうちの少なくとも一つを指定する。
【００５６】
ある好ましい実施形態では、前記送信は、前記インターフェースのセットアップ時におよび／または前記インターフェースの構成設定更新として実行される信号情報プロトコル（signalling  information  protocol）の一部である。
【００５７】
ある好ましい実施形態では、前記報告することは信号情報プロトコルの一部である。
【００５８】
ある好ましい実施形態では、前記報告することは：前記インターフェースのサブストリームについての前記測定された通信パラメータを報告することを含む。よって、X2測定報告は、X2リンク全体の一部である特定のベアラにおいて活性化されてもよい。そのようなベアラは、種々のシステム・シナリオ（たとえば干渉協調、CoMP（たとえば共同送信）、データのブロードキャストまたはハンドオーバー）に関係してもよく、異なるQoS要求をもっていてもよい。
【００５９】
ある好ましい実施形態では、前記報告することは：前記測定された通信パラメータの値が閾値を超えているかどうかを判定し、前記測定された通信パラメータの前記値が前記閾値を超えていれば前記測定された通信パラメータを報告し、または前記測定された通信パラメータの前記値が前記閾値を超えていれば前記測定された通信パラメータを報告するのを停止することを含む。同様に、もう一つの好ましい実施形態では、前記報告することは：前記測定された通信パラメータの値が閾値未満であるかどうかを判定し、前記測定された通信パラメータの前記値が前記閾値未満であれば前記測定された通信パラメータを報告し、または前記測定された通信パラメータの前記値が前記閾値未満であれば前記測定された通信パラメータを報告するのを停止することを含む。さらなるある好ましい実施形態では、報告する段階と報告するのを停止する段階の両方が当該無線通信方法に含まれ、報告することを開始するための閾値と報告するのを停止するための閾値は異なる。このように、測定報告は条件付きで送信されてもよい。測定報告の条件付きの送信は、たとえば、負荷レベルがある閾値を超えることまたはレイテンシーがある閾値を超えることまたは前記二つまたはそれ以上の指標の何らかの組み合わせに基づく。測定報告のための条件を設定するための閾値を使う際、報告開始および停止閾値は好ましくは異なり、それにより不安定を防ぐためにヒステリシスを導入する。好ましい諸実施形態では、閾値は、それぞれの無線通信仕様において好ましくは固定されている半静的な構成設定、たとえばRRC（Radio  Resource  Control［電波資源制御］）構成設定によって構成設定されてもよい。
【００６０】
ある好ましい実施形態では、前記無線通信方法はさらに、次のうちの少なくとも一つを含む：前記第二のアクセス・ノードが前記協調セットに含まれている場合、前記通信パラメータを測定する測定報告モードを開始し、測定された通信パラメータを報告すること、および、前記第二のアクセス・ノードが前記協調セットに含まれていない場合、前記通信パラメータを測定する前記測定報告モードを抜け、測定された通信パラメータを報告すること。このように、X2リンク・パフォーマンス測定は活性化され、非活性化されることができる。しかしながら、測定が常時実行されるのでもよい。
【００６１】
よって、本発明は特に、いかにして（そしてどこに）測定が報告されるかおよびそのような測定報告の構成設定に関する。
【００６２】
ある好ましい実施形態では、前記無線通信方法はさらに：複数のインターフェースを介して前記第一のアクセス・ノードおよび複数のさらなるアクセス・ノードの間で通信を行い、前記複数のインターフェースのうちで関連するインターフェースの集合を決定し、複数の通信パラメータをモニタリングすることを含み、前記複数の通信パラメータは、前記関連するインターフェースの集合を介する前記通信に関係する。X2測定報告は、ネットワークまたは該ネットワークの一部において一つまたは複数のCoMPスキームが活性化されるときは常にすべての関連するX2インターフェースにおいて活性化されうる。関連するリンク（「関連するインターフェース」とも称される）は、ネットワーク管理システムによってまたは何らかの「スマート基準」によって事前選択または事前設定〔プリセット〕されてもよい。たとえば、限られた利用可能な帯域幅などのために特定のX2インターフェースにおいて容量／レイテンシー問題が知られているまたは予期される場合、事前選択が好ましいことがある。スマート基準は、最近のパフォーマンス履歴を調べて、この事前選択のプリセットにX2リンクを含めるまたは除外することを選ぶネットワーク・アルゴリズムによって定義されうる。
【００６３】
ある好ましい実施形態では、前記交換スキームは次のうちの一つである：
データを前記第一のアクセス・ノードから前記第二のアクセス・ノードに転送し、前記データを前記第一および／または第二のアクセス・ノードから前記ユーザー装置に送信する段階を含む第一の交換方式；
前記第一のアクセス・ノードから前記第二のアクセス・ノードに信号情報を転送し、前記第一のアクセス・ノードから前記ユーザー装置にデータを送信する段階を含む第二の交換方式；および
前記第二のアクセス・ノードにおいて前記ユーザー装置からデータおよび／または信号情報を受信し、前記受信されたデータおよび／または信号情報を前記第二のアクセス・ノードから前記第一のアクセス・ノードに前記インターフェースを介して転送する段階を含む第三の交換方式。
【００６４】
前記第一の交換スキームは好ましくは、DLのeNB間JPである。前記第二の交換スキームは好ましくはDLのeNB間CS/CBである。前記第三の交換スキームは好ましくはULのeNB間CoMPである。しかしながら、本発明はこれら三つの交換スキームに限定されるものではない。本発明との関連でさらなる交換スキームが使用されてもよい。
【００６５】
ある好ましい実施形態では、前記通信パラメータは、前記インターフェースのレイテンシーおよび前記インターフェースの帯域幅のうちの少なくとも一つを表す。前記通信パラメータが次のうちの少なくとも一つを表すことが好ましいこともある：前記インターフェースの可用性（たとえば、所与の時間期間中の稼働時間の割合の測定値）、前記インターフェースの信頼性（たとえば、他のパラメータの統計的平均）、前記インターフェースを通じて通信するときのパケット損失の確率、前記インターフェースを通じて通信するときの往復遅延時間〔ラウンドトリップタイム〕（たとえばピング（ping））、前記インターフェースの方向性レイテンシー（パケットがアクセス・ノード（ａ）からアクセス・ノード（ｂ）に、またアクセス・ノード（ｂ）からアクセス・ノード（ａ）に行く時間）、前記インターフェースを通じて通信するときのデータ・レート（ピークおよび／または平均）。
【００６６】
本願に記述される側面および実施形態の任意の組み合わせが本願の範囲に含まれることを注意しておく。また、本発明はLTEアドバンストに限定されるものではなく、好ましくは、アクセス・ノード間のインターフェースを通じた中継技法が使用されるあらゆる有線および無線の通信システムにおいて適用されうる。
【００６７】
このように、本発明の特に好ましい実施形態は、関連する電波およびX2リンク・パフォーマンス指標に依存する、CoMPセットのためのeノードBの選択と、X2リンク・パフォーマンス測定および報告のための方法および関連する信号伝達と、X2リンク・パフォーマンス指標の活性化および非活性化のための方法および基準に関する。
【００６８】
本願の好ましい実施形態について、ここで例として付属の図面を参照しつつ述べる。
【図面の簡単な説明】
【００６９】
【図１】LTEネットワーク・アーキテクチャを示す図である。
【図２】制御面およびユーザー面プロトコル・アーキテクチャを示す図である。
【図３】ａおよびｂは、下りリンクeNB間共同処理を示す図である。
【図４】下りリンクeNB間CS/CBを示す図である。
【図５】上りリンクeNB間CoMPを示す図である。
【図６】共同処理の場合のCoMP協調および測定セットを示す図である。
【図７】ａおよびｂは、X2セットアップおよびeNB構成設定更新を示す図である。
【図８】X2測定報告を示す図である。
【図９】本発明の第一の実施形態のフローチャートである。
【図１０】本発明の第二の実施形態のフローチャートである。
【発明を実施するための形態】
【００７０】
図３ないし図５が本発明の好ましい交換スキームを示している。
【００７１】
DLのeNB間JPは、高データ・レートのカバレッジ、セル端および／またはシステム・スループットを改善できる。セル端にあるUEについては、ハンドオーバーの際のユーザー経験をも改善できる。DLのeNB間JP交換スキームでは、単一のUE  １０へのDLデータが、CoMP協働セット１００内の各送信点（またはアクセス・ノード）２０、３０において利用可能である。これらの送信点は異なるeNB  ２０、３０にあり、ユーザー・データはサービスするeNB  ２０から協働するeNB（単数または複数）３０にX2インターフェース５を介して送信される。
【００７２】
図３のａおよびｂは、DLのeNB間JP交換スキームの二つの型を示している：（１）共同送信（図３のａ）。ここでは、単一のUE  １０へのデータが複数の送信点２０、３０から同時に送信される。（２）動的セル選択（図３のｂ）。ここでは、データは一時には一つの送信点から送信される。いずれの場合にも、ユーザー・データおよびスケジューリング情報はサービスするeNB  ２０から協働するeNB（単数または複数）  ３０に転送される。
【００７３】
DLのeNB間協調スケジューリング／ビーム形成（CS/CB）交換スキームは、干渉を減らし、システム・スループットを増大させることができる。図４に示されるこの交換スキームでは、ユーザー・データはサービスするセル２０においてのみ利用可能である（データ送信はそのアクセス・ノードから）。しかしながら、スケジューリング情報およびチャネル情報／フィードバックは、サービスするeNB  ２０と協働するeNB（単数または複数）３０の間でX2インターフェース５を通じて交換される。
【００７４】
図５に示される上りリンクのeNB間CoMPについては、諸協調受信点（アクセス・ノードが一つまたは複数の受信点を含むことができる）が異なるeNB  ２０、３０にあるとき、スケジューリング情報および受信されたデータ・パケットはX2インターフェース５を通じて送信される。協働するeNB  ３０がCoMP  UEのデータすべてをサービスするeNB  ２０に転送する場合、X2インターフェース５を通じての転送されるデータの量は、DLのeNB間JPと同様であろう。しかしながら、転送されるデータは、上りリンク・シナリオでは、いくつかのポリシーを導入することによって、著しく削減されうる。たとえば、協働するeNB  ３０は、不成功HARQ手順の場合、要求されたときにのみサービスするeNB  ２０にパケットを転送してもよい。
【００７５】
3GPP  TR  36.814で規定されている定義に基づき、図６は、CoMP  JPの場合の、CoMP協働セット、CoMP測定セットおよびCoMP送信点を示している。
【００７６】
図６では、セルBがサービスするセル２０であり、CoMP協働セット１００はセルA、B、C、Dを含んでおり、このうちセルA、B、CのみがCoMP送信点である。セルDは、当該UEについてCoMPを使うセルのCoMP協働セット１００の部分としては使われない。
【００７７】
CoMP測定セット２００はセルA、B、C、Dを含み、これについてUEはあらかじめ定義された測定を行い、サービスするセルBに報告する。これらの測定は主として、UEへの電波リンクに関係する電波チャネル状態／統計情報に関するものであってもよい。
【００７８】
先に論じたように、eNB間CoMP交換スキーム・シナリオの場合、X2バックホールのパフォーマンスは好ましくは、CoMP協働セットを決定するために使われる。本発明のある好ましい実施形態では、電波リンクのパフォーマンスのみならず、X2バックホール・パフォーマンスにも基づいてCoMPセットの選択を動的に制御および管理することが提案される。
【００７９】
図６に示される実施形態では、UEはすでに、サービスするセルBとの接続済みモードにある。UEによって報告される電波チャネル条件に基づいて、サービスするセルBは、電波チャネル条件が、CoMPの活性化が考えられるべきものであるかどうかを決定する。ネットワーク（好ましくは、前記サービスするセルを制御するサービスするeノードB）がCoMPを考えると決定する場合、サービスするeノードBは、候補セルのリストを使って近隣セルをモニタリングするよう、好ましくは近隣セルの測定を実行するよう、UEをトリガーする。候補CoMPセルは、システム・ブロードキャスト・メッセージによって、または特定のUE（単数または複数）への専用の信号伝達によって、サービスするeノードBによって信号伝達されてもよい。UEは、サービスするeノードBに、すべてのCoMP適合セルの電波チャネル測定を報告する。サービスするeノードBは、前記近隣eノードBとの個々のX2リンクのパフォーマンスについての連続的に更新される知識を有していてもよく、あるいはすべての関連するX2リンク上でパフォーマンス測定を活性化してもよい。UEについてのCoMPモードを活性化する決定は、電波チャネル測定および関連するX2リンクが十分なパフォーマンスを有することの両方に基づいて、サービスするeノードBによって行われる。サービスするeノードBがCoMPを活性化させる場合、前記関連するX2リンクはCoMP協働セットに含められる。
【００８０】
この実施形態では、CoMPモードは、接続済みモードから活性化されることが想定されている。しかしながら、UEは、CoMPモードが活性化されたあとにサービスするeノードBとの接続をセットアップしてもよい。
【００８１】
以下の諸段落では、前記測定および該測定から生じる処理オーバーヘッドを減らすための手順および機構の好ましい諸実施形態が記述される。
【００８２】
X2バックホール・パフォーマンスは、CoMPスキーム（単数または複数）の要求およびUEのアプリケーション（単数または複数）に基づいていくつかの決定的なパラメータを測定することによってモニタリングされてもよい。これらの測定パラメータは少なくとも、レイテンシーおよび帯域幅を含む。
【００８３】
X2バックホールのレイテンシーは、X2-APパケットがソースeNBからターゲットeNBに送信されて処理されるのにかかる時間をいう。二つのeNBの間のX2バックホール・レイテンシーは、X2-AP層でのエンドツーエンドの遅延を測定することを介してモニタリングできる。エンドツーエンドの遅延は、送信遅延（transmission  delay）、伝搬遅延（propagation  delay）および処理遅延（processing  delay）からなる。
【００８４】
X2バックホールの帯域幅は、二つのeNBの間のX2通信のスループット測定を介してモニタリングされる。本質的にはデジタル帯域幅容量と同義である最大スループットは：
最大スループット＝SCTPウィンドー・サイズ／往復遅延時間
から導出できる。SCTPウィンドー・サイズは二つのeノードBの間でSCTP関連付けが開始されるときに定義され、往復遅延時間はエンドツーエンドの遅延によって決定される。
【００８５】
効率的なX2パフォーマンス・モニタリングおよび報告のために、本発明のある好ましい実施形態では、eNB、たとえばサービスするeNBが、協働するeNB（単数または複数）を、X2バックホール測定および報告のためのパラメータをもって構成設定できることが提案される。測定構成設定パラメータはたとえば次のものを含む：
ａ）測定対象（measurement  object）。測定対象は、何に対してeノードBがエンドツーエンド遅延のような当該測定を実行するべきかを定義する。測定対象は、考慮されるべきターゲットeノードBならびに関連するパラメータ、たとえばエンドツーエンド遅延またはスループットのリストを含んでいてもよい。
ｂ）報告構成設定（reporting  configuration）。報告構成設定は、eノードBに測定レポートを送らせる（周期的なまたはイベントによってトリガーされる）基準ならびにeノードBがどのような情報を報告することが期待されているか（たとえばエンドツーエンドの一方向レイテンシーまたはエンドツーエンドの往復遅延時間など）の詳細からなる。
ｃ）測定タイミング・ギャップ（measurement  timing  gap）。測定タイミング・ギャップは、eノードBが測定を実行しうる時間期間を定義する。
【００８６】
X2バックホール・パフォーマンスを報告する二つの好ましい仕方は次のとおり：
１）eノードB内での測定報告。eノードB内で、諸トランスポート層プロトコルが測定をX2  AP層に内部インターフェースを介して報告する。測定情報はeノードBの間で共有されない。
２）ピアeノードBへの測定報告。途中にX2インターフェースをもつ諸eノードBが、X2信号伝達を通じて測定を交換／共有する。X2測定情報共有は、二つのeノードB間のX2接続が二つの方向（eノードB  １からeノードB  ２とeノードB  ２からeノードB  １）で異なる性能をもつ場合に特に有意でありうる。この場合、図７のａおよびｂに示されるように、測定構成設定情報は、二つのピアeノードB間で、たとえばX2セットアップ手順を介して開始され、eNB構成設定更新手順を介して更新されることができる。しかしながら、この目的のために他の諸手順が使用されてもよい。たとえば、3GPP  TS  36.423のセクション８で規定されている諸手順であり、その開示はここに参照によって本願に組み込まれる。
【００８７】
ピアeノードBに測定報告する二つの好ましい仕方がある：
２ｉ）X2測定報告のための新しいX2-AP信号伝達。図８に示されるX2測定レポート手順はeNB間のX2測定情報の転送に関する。この手順は、UEに関連付けられていない（non  UE-associated）信号伝達を使う。
２ｉｉ）既存のX2-AP信号伝達に便乗。X2測定報告のための上記の新しいX2-AP信号伝達の代替として、既存のX2-AP信号伝達メッセージがX2測定情報を便乗させるために使われることができる。
【００８８】
以下では、X2バックホール・パフォーマンス測定報告の活性化および非活性化のための好ましい実施形態が記述される。
【００８９】
X2測定は好ましくは、ネットワークまたは該ネットワークの一部においてCoMP機能が活性化されるときは常にすべての関連するX2リンクにおいて活性化される。関連するX2リンクは、CoMP機能が活性化されるネットワークの全体または一部におけるすべてのリンクであることができる。関連するリンクは、ネットワーク管理システムによってまたは何らかの「スマート基準」によって事前選択または事前設定されていてもよい。たとえば、限られた利用可能な帯域幅などのために特定のX2リンクにおいて容量／レイテンシー問題が知られているまたは予期される場合、事前選択が好ましいことがある。スマート基準は、最近のパフォーマンス履歴を調べて、この事前設定または事前選択にX2リンクを含めるまたは除外することを選ぶネットワーク・アルゴリズムであってもよい。
【００９０】
同様に、X2測定は、CoMP機能がネットワークまたは該ネットワークの一部で非活性化されるときは常にすべての関連するX2リンクにおいて非活性化されてもよい。
【００９１】
X2測定が活性化されるとき、eNBは好ましくは時間周期的にまたは時間非周期的に（たとえばイベント・ベースで、最小変化レベルに従って、など）測定を要求する。
【００９２】
さらに、報告（周期的または非周期的）は、条件付きでまたは無条件で送信されてもよい。報告の条件付き送信は、たとえば、負荷レベルがある閾値を超えることまたはレイテンシーがある閾値を超えることまたは前記二つまたはそれ以上の指標の何らかの組み合わせに基づいていてもよい。閾値が適用される場合、報告開始および停止閾値は好ましくは異なり、それにより不安定を防ぐヒステリシスを導入する。これらの閾値の構成設定は、半静的な構成設定、たとえばRRC構成設定によって構成設定されるよう、固定された仕様に書かれている閾値によって決定されてもよい。
【００９３】
上記の活性化および非活性化手順は、X2リンク・パフォーマンスに依存する他の任意の機能に適用されてもよい。
【００９４】
図９は、本発明に基づく無線通信方法の第一の実施形態のフローチャートを示している。図９に示される方法を使った無線通信システムは、複数のアクセス・ノードおよびユーザー装置を含む。各アクセス・ノードは、ユーザー装置とデータおよび／または信号情報を無線で交換するよう動作可能である。前記複数のアクセス・ノードは少なくとも第一のアクセス・ノードおよび第二のアクセス・ノードを含む。前記第一および第二のアクセス・ノードはインターフェースによって相互接続される。
【００９５】
図９に示される無線通信方法は、次の段階を含む：ステップS1では、前記インターフェースを介して前記第一と第二のアクセス・ノードの間で通信し；ステップS2では、前記インターフェースを介した前記第一と第二のアクセス・ノードの間の前記通信に関係するパラメータをモニタリングし、ステップS3では、モニタリングされた前記パラメータに依存して、前記第一および／または第二のアクセス・ノードと前記ユーザー装置との間のデータおよび／または信号情報の前記交換を制御する。
【００９６】
図１０は、本発明に基づくCoMPのための無線通信方法の第二の実施形態のフローチャートを示している。図１０に示される方法を使った無線通信システムは、ユーザー装置と、アクセス・ノードの協調セットとを含む。各アクセス・ノードは前記ユーザー装置とデータおよび／または信号情報を無線で交換するよう動作可能である。前記協調セットはある交換スキームに従って前記ユーザー装置との前記交換に直接的または間接的に参加する。前記協調セットは少なくとも第一のアクセス・ノードを含む。記第一のアクセス・ノードはインターフェースによって第二のアクセス・ノードと相互接続されている。
【００９７】
図１０に示される無線通信方法は、次の段階を含む：ステップS1では、前記インターフェースを介して前記第一と第二のアクセス・ノードの間で通信し、ステップS2では、前記インターフェースを介した前記第一と第二のアクセス・ノードの間の前記通信に関係する通信パラメータをモニタリングし、モニタリングされた前記通信パラメータに依存して、ステップS3aで：ステップS4aで、前記第二のアクセス・ノードを前記協調セットに含める、前記協調セットで動作させる、および／または前記協調セットから除外することによって、および／または、ステップS4bで、前記交換スキームを変えることによって、前記協調セットを構成設定する。
【００９８】
このように、第一の実施形態のステップS3は、第二の実施形態では、CoMPの個別的なシナリオに適応されている。すなわち、ステップS3はステップ3a、4aおよび4bを含む。同様に、ステップS3は、本発明の他の実施形態では、干渉協調、データのブロードキャストまたはハンドオーバーのような他のシナリオに適応されてもよい。
【図１】
0005783263.tif 000002
【図２】
0005783263.tif 000003
【図３】
0005783263.tif 000004
【図４】
0005783263.tif 000005
【図５】
0005783263.tif 000006
【図６】
0005783263.tif 000007
【図７】
0005783263.tif 000008
【図８】
0005783263.tif 000009
【図９】
0005783263.tif 000010
【図１０】
0005783263.tif 000011